(57)【特許請求の範囲】
【請求項１】
コンクリ−ト構造物打設時に打継目に添って装着される中央部にバルブを有しこれより左右に伸びる裾部を備えた継手の支持部材であって、コンクリ−ト構造物の打継目を構成する型枠の端縁に嵌合する窪み部と、前記継手のバルブの半外型に添って伸び裾部を保持する脚部と、を備えたことを特徴とするコンクリート構造物打設時の継手支持部材。
【請求項２】
脚部がバルブを覆う立ち上がり部と裾部を保持する水平部とからなる請求項１記載のコンクリート構造物打設時の継手支持部材。
【請求項３】
窪み部は底幅が型枠の端縁の厚みと略等しく、開口幅が型枠の縁部の厚みよりも略５〜３０％狭く、深さが型枠の端縁の厚みの略１．５〜４倍の深さである請求項１又は２記載のコンクリート構造物打設時の継手支持部材。
【請求項４】
窪み部の一方側の開口縁の背丈は、他方側の背丈よりも２〜１０ｍｍの段差をもって形成された請求項１乃至３いずれか１記載のコンクリート構造物打設時の継手支持部材。
【請求項５】
脚部にて裾部の片側を保持した請求項１乃至４いずれか１記載のコンクリート構造物打設時の継手支持部材。
【請求項６】
脚部にて裾部の両側を保持した請求項１乃至４いずれか１記載のコンクリート構造物打設時の継手支持部材。
【請求項７】
請求項１乃至６いずれか１に記載されたコンクリート構造物打設時の継手支持部材を用いたコンクリート構造物の継手の施工法であって、隣り合うコンクリ−ト構造物を区画する型枠を配置する第１工程、型枠の縁端に当該継手支持部材の窪み部を嵌め合わせる第２工程、継手支持部材の脚部にて継手の裾部を保持する第３工程、継手の裾部の突起を埋設しつつ型枠にて区画されたスぺ−スにコンクリ−トを打設する第４工程、とからなる継手の施工法であり、これら各工程を順次繰り返してコンクリ−ト構造物を完成させることを特徴とするコンクリート構造物打設時の継手の施工法。
【発明の詳細な説明】
【技術分野】
【０００１】
本発明は、コンクリート構造物の打継目に沿って付設され、この打継目部分からの水の侵入を防ぎ、耐震性能を付与した帯状の継手に関するものであり、特に言えば、コンクリート構造物の打設の際の先付け耐震継手（以下、不都合でない限り単に継手という）の支持部材及びこれを用いた継手の施工法に係るものである。
【背景技術】
【０００２】
隣接するコンクリート構造物間の境界である打継目部分へ水が侵入すると、例えばトンネル、建築物等の内部に漏水が生じることになる。この漏水を防ぐ方法としてコンクリート構造物の打継目に沿って帯状の止水継手を埋設する防水工法が採用されている（非特許文献１）。
【０００３】
【非特許文献１】防水ジャーナル（１９９６年３月号８５〜８７頁）
【０００４】
防水工法のうち、コンクリート構造物を打設した後の防水工法として例えば可撓継手Ａが用いられている。かかる可撓継手Ａは、図１に示すようにコンクリート構造物ａ、ｂの打継目の目地ｃを跨いで取り付けられるもので、繊維補強層ｄが内蔵されたゴム部材ｅであって、中央に一つ或いは二つの山部ｆを構成し、その左右を裾部ｇとしたもので、この裾部ｇを押え部材ｈとボルトｉで固定する方法が取られている。従って、可撓継手Ａの製造コストが高く、しかも部品点数が多いことから施工コストも高いものであった。又、コンクリート構造物を打設した後に施工され、通常はその施工もコンクリート構造物の内側より行うものであり、打設されたコンクリート構造物の外側は防水手段が行われない。しかも、施工が複雑であり、施工工数も多く、施工のためのスペースを比較的広く要する等が指摘されており、改良の余地もあった。
【０００５】
近年、上記のような防水工法に代わる新たな工法が要求されており、施工工期が短く、コストがより安いこと、止水が打設されたコンクリート構造物に対して外防水であること地震時の変位吸収が大きいこと、この変位吸収部より土砂が流入しないこと、等を満足する防水工法が求められているところであり、本発明者等は既に新たな提案を行っている（特許文献２）。
【０００６】
【特許文献２】特願２００５−４４１４１号
【０００７】
即ち、既提案の概要は、主としてコンクリート構造物用先付けに用いられる継手であって、対向するコンクリート構造物の打継目に沿って配置され、コンクリート構造物の変位を吸収するバルブと、当該対向するコンクリート構造物の外面に当接され、前記バルブの左右に形成された裾部と、この対向するコンクリート構造物中に埋設され、前記裾部に形成された先端部に膨出部を備えた突起と、よりなることを特徴とするものである。
【０００８】
その継手の施工法としては、対向するコンクリート構造物の打継目に沿って配置される上記継手の施工方法であり、コンクリート構造物の外側面に当該継手の一方の裾部に形成した突起を埋設しつつコンクリート構造物を打設し、次いで、これに対向するコンクリート構造物の外側面に当該継手の他方の裾部に形成した突起を埋設しつつコンクリート構造物を打設するものである。
【０００９】
上記の継手によれば、地震時の変位吸収が大きいこと、この変位吸収部より土砂が流入しないこと、外防水を可能とし、しかも安価な防水継手が得られたものであり、その施工法によれば、施工工期が短く、施工コストがより安いこと、止水が打設されたコンクリート構造物に対して外防水であること、を満足する防水工法が得られたものである。しかしながら、かかる施工法にあっても更に改良が要請される場合があり、継手の外表面にコンクリ−トパネルと共に防水シ−トが張設される場合の不具合さや、コンクリ−ト打設の際の側圧によってバルブ位置が目地部の中心からずれてしまうことがある点である。
【発明の開示】
【発明が解決しようとする課題】
【００１０】
本発明は、上記のコンクリート構造物用の継手の新たな施工法を提供することを目的とするものであり、一般に継手の中心に備えられているバルブをコンクリート構造物の打継目に正確に配置することを可能とした継手支持部材及びこれを用いた施工法を提供するものである。
【課題を解決するための手段】
【００１１】
本発明の第１の要旨は、コンクリ−ト構造物打設時に打継目に添って装着される中央部にバルブを有しこれより左右に伸びる裾部を備えた継手の支持部材であって、コンクリ−ト構造物の打継目を構成する型枠の端縁に嵌合する窪み部と、前記継手のバルブの半外型に添って伸び裾部を保持する脚部と、を備えたことを特徴とする継手支持部材であり、好ましくは、脚部がバルブを覆う立ち上がり部と裾部を保持する水平部とからなる継手支持部材である。
【００１２】
本発明の第２の要旨は、上記した第１発明の継手支持部材を用いたコンクリート構造物の継手の施工法であって、隣り合うコンクリ−ト構造物を区画する型枠を配置する第１工程、型枠の縁端に当該継手支持部材の窪み部を嵌め合わせる第２工程、継手支持部材の脚部にて継手の裾部を保持する第３工程、継手の裾部の突起を埋設しつつ型枠にて区画されたスぺ−スにコンクリ−トを打設する第４工程、とからなる継手の施工法であり、これら各工程を順次繰り返してコンクリ−ト構造物を完成させるものである。
【発明の効果】
【００１３】
本発明は以上のような継手支持部材及びこれを用いた施工法であり、継手が所期の目的とする位置に完全に納まることとなり、耐震性能の向上は勿論であるが、止水性も極めて高く、しかも施工コストも比較的安価に提供できたものである。
【発明を実施するための最良の形態】
【００１４】
本発明に用いられる継手の構造は、対向するコンクリート構造物の打継目に沿って配置され、コンクリート構造物の変位を吸収するバルブと、このバルブの左右に形成された裾部と、コンクリート構造物中に埋設される当該裾部に形成された突起と、よりなるものである。かかる継手は、各構成全体がゴム或いはゴム様の樹脂材料で一体に成形されたものである。通常は押出機にて押出成形されるものが特に好ましいが、場合によっては長尺材として加硫（架橋）成形したものであってもよい。継手の中央部に備えられたバルブは変位吸収のためであり、止水のための突起をバルブ両端に形成した裾部に配置する一体構造としたものである。中央のバルブは、オメガ型、台型、折り返し型形状とするものであり、変位吸収量により大きさ・形状を変えることができる。前記バルブは閉じていることにより変形時及び変形後も土砂の侵入を防止するものである。
【００１５】
そして、この継手を隣り合うコンクリ−ト構造物の打継目に配置するが、このコンクリ−ト構造物の打継目を構成する型枠の縁部に、第１発明の継手支持部材を装着し、これによって継手を保持するものであり継手の姿勢が正しく維持されつつコンクリ−トが打設されるものである。この際、型枠の縁部に嵌め合わせる継手支持部材の窪み部の形状を特定し、更に、これに連なって継手のバルブ覆い裾部を保持する脚部を形成してなるものである。かかる脚部はバルブの外形に添って伸びる立ち上がり部と、これより水平に伸びて裾部を保持する水平部とを備えるのが一般的であり、かかる脚部はバルブの片側に添って伸びるものと、バルブの両側に添ってＶ型に伸びる構造のものもある。尚、本発明の継手支持部材は金属製であっても、プラスチック製であってもよい。
【００１６】
即ち、継手支持部材の窪み部は底幅が型枠の端縁の厚みと略等しく、開口幅が型枠の縁部の厚みよりも略５〜３０％（好ましくは１０〜２０％）狭く、深さが型枠の端縁の厚みの略１．５〜４倍（好ましくは２〜３倍）の深さで、窪み部の一方側の開口縁の背丈は、他方側の背丈よりも２〜１０ｍｍの段差をもって形成されたものである。
【００１７】
継手支持部材の窪み部の開口幅、深さを上記の範囲に特定することにより、型枠との間で十分な固着力が働き、施工時に脱落、ズレが発生しないこととなったものである。又、開口縁の背丈、特に脚部が形成された側の背丈を低くし、脚部と反対側の開口縁の背丈を高くすることにより、型枠の端縁に嵌め込みが容易となるもので、型枠の端縁にこの窪み部を置き、ハンマ−等にて窪み部の底部を打ち込むことによって容易に嵌め込むことができるものである。そして、型枠への継手の配置が釘やボルトを必要とせずに行えるので、施工性及び品質が向上する。
【００１８】
その継手の施工法としては、対向するコンクリート構造物の打継目に沿って上記継手を配置する継手の施工法であり、型枠の縁部に前記継手支持部材を装着し、これによって継手を保持し、コンクリート構造物の外側面に当該継手の一方の裾部に形成した突起を埋設しつつコンクリート構造物を打設し、次いで、これに対向するコンクリート構造物の外側面に当該継手の他方の脚部に形成した突起を埋設しつつ順次コンクリート構造物を打設する施工法であり、継手取り付けのための現場穴明け作業をなくし、施工性及び品質の向上を達成したものである。
【実施例】
【００１９】
図２は本発明に用いられる継手１の斜視図であり、この例では中央に中空で断面台形のバルブ２を有し、この左右に裾部３、４が備えられ、更に、この裾部３、４の一方側にコンクリ−ト構造物内に埋め込まれる突起５、６を備えたものである。
【００２０】
図３は第１発明の継手支持部材１１の一例を示す斜視図であり、コンクリ−ト構造物の打継目を構成する型枠２０の端縁２０ａに嵌合する窪み部１２と脚部１３とを備えたものであり、脚部１３は継手１のバルブ２の外型に添ってこれを覆う立ち上がり部１３ａとこれより先端部を水平部１３ｂとなし、継手１の裾部３、４を保持する形状となっている。この例にあって、窪み部１２は底幅１２ａが型枠２０の端縁２０ａの厚みと略等しく、開口幅１２ｂが型枠２０の縁部２０ａの厚みよりも１０％狭く、深さ１２ｃが型枠２０の端縁２０ａの厚みの２倍の深さである。そして、窪み部１２の脚部１３が備えられた側の開口縁１２ｄの背丈は深さ１２ｃと同じとされ、他方側の開口縁１２ｅの背丈は５ｍｍの段差をもって形成されたものである。
【００２１】
図４は図３に示した継手支持部材を用いてなる継手の支持状態及びこれを用いたコンクリ−ト構造物の完成図である。２１、２２は型枠２０を挟んで打設されたコンクリ−ト構造物、２３防水シ−トであり、この表面に外表面材となるコンクリ−トパネル２４が配置されたものである。継手１はバルブ２の頭部が継手支持部材１１の窪み部１２の裏側に当接され、好ましくはこの部位に簡単な接着剤（例えばウレタンフォ−ム原液をスプレ−）をもって仮に固定する。そして、バルブ２は脚部１３の立ち上がり部１３ａにて覆われ、裾部３、４は脚部１３の水平部１３ｂにて支持されている。更に裾部３、４におけるコンクリ−ト構造物２１、２２側に形成した突起５、６は打設されたコンクリ−ト構造物２１、２２中に埋設されてなるものである。
【００２２】
かかる構造としたことにより、継手１のバルブ２はコンクリ−ト打設時は打継目に正確に配置されて二つのコンクリ−ト構造物を跨ぐことができることとなったものであり、継手の配置において釘やボルトを全く使用しない構造としたものである。又、使用に供された際には、地震等の揺れに対しては、継手支持部材１１の脚部１３の立ち上がり部１３ａにて形成された空域内をバルブ２が動くことができ、これによって地震の揺れが吸収できることとなったものである。
【００２３】
施工法については言うまでもないが、上記に記載した継手１及び継手支持部材１１を用いるものであり、隣り合うコンクリ−ト構造物２１、２２を区画する型枠２０を配置する第１工程、型枠２０の縁端２０ａに継手支持部材１１の窪み部１２を嵌め合わせる第２工程、継手支持部材１１の脚部１３の立ち上がり部１３ａ内に継手１のバルブ２を嵌め、裾部３、４を脚部１３の水平部１３ｂにて保持する第３工程、継手１の裾部３、４の突起５を埋設しつつ型枠２０にて区画されたスぺ−スにコンクリ−ト２１を打設する第４工程、次いで、コンクリ−ト２２を打設する工程を順次繰り返してコンクリ−ト構造物を完成させる継手の施工法である。
【００２４】
このように、コンクリート構造物の外側面に継手を配置しつつ施工するものであり、コンクリート構造物の外側面に継手の一方の脚部に形成した突起を埋設しつつコンクリート構造物を打設し、次いで、これに対向するコンクリート構造物の外側面に継手の他方の脚部に形成した突起を埋設しつつコンクリート構造物を打設する施工法である。このため、構造物の外側に継手を設置することにより外防水機構が完成するものであり、施工性が極めてよく、施工コストを押えることができる。又、メンテナンス状も外防水であるために特に優れたものとなる。
【００２５】
尚、場合によっては、左右のコンクリート構造物に同時に突起を埋設するようにしてコンクリート構造物を打設することも可能である。
【００２６】
図５は第１発明の継手支持部材１１の別例を示す斜視図である。図３の例にあっては、脚部１３が一方側に形成された例であるが、この例は脚部１３を窪み部１２の両側に形成した例である。
【産業上の利用可能性】
【００２７】
本発明は以上のような継手を用い、これを支える継手支持部材とこれらを用いた施工法であり、道路トンネル、共同溝等の地下構造物の耐震性能の向上が顕著である。そして、止水性も極めて安価に提供できるものであり、コンクリート構造物間に大きな相対的ずれが生じた場合にも、高い止水性を維持することができる。そして又、コストの低減（材料費、施工費のダウン、工期短縮）が顕著である。
【図面の簡単な説明】
【００２８】
【図１】図１は従来の継手の施工時の断面図である。
【図２】図２は本発明に用いられるの継手の斜視図である。
【図３】図３は本発明に用いられるの継手支持部材の斜視図である。
【図４】図４は本発明によって完成したコンクリ−ト構造物の完成図である。
【図５】図５は本発明に用いられるの継手支持部材の別例を示す斜視図である。
【符号の説明】
【００２９】
１‥継手、
２‥バルブ、
３、４‥裾部、
５、６‥突起、
１１‥継手支持部材、
１２‥窪み部、
１２ａ‥窪み部の底幅、
１２ｂ‥窪み部の開口幅、
１２ｃ‥窪み部の深さ、
１２ｄ、１２ｅ‥窪み部の開口縁、
１３‥脚部、
１３ａ‥脚部の立ち上がり部、
１３ｂ‥脚部の水平部、
１４‥突起、
２０‥型枠、
２０ａ‥型枠の端縁、
２１、２２‥コンクリ−ト構造物、
２３‥防水シ−ト、
２４‥コンクリ−トパネル。
【図１】
0004630823.tif 000002
【図２】
0004630823.tif 000003
【図３】
0004630823.tif 000004
【図４】
0004630823.tif 000005
【図５】
0004630823.tif 000006